(57)【要約】【課題】例えば、第１及び第２のハウジングを有するイヤホンにおいて、支障なくイヤホンを耳に装着できる構造を有するイヤホンを提供する。 【解決手段】本発明のイヤホンは、イヤチップ４０が接続された音導管２２を備え、該音導管２２に放音するスピーカユニットを収容した第１のハウジング２０と、該第１のハウジング２０に前記音導管２２と対向する側で連結された内部空間を有する第２のハウジング６０と、を備え、前記音導管２２の軸Ａは、前記第２のハウジング６０の軸Ｃに対して異なっており、前記音導管２２の軸Ａと前記第２のハウジング６０の軸Ｃの交差点Ｐ１は、前記音導管２２内に位置する。【選択図】図２
2014041613.tif 000002
【特許請求の範囲】
【請求項１】
音導管、第１のハウジング、第２のハウジングを備え、前記第１のハウジングは、スピーカユニットを収容し、
前記第２のハウジングと前記音響管との間に、前記第１のハウジングは配置されており、
前記音導管の軸は、前記第２のハウジングの軸に対して異なっており、
前記音導管の軸と前記第２のハウジングの軸の交差点は、前記音導管内に位置することを特徴とするイヤホン。
【請求項２】
前記音導管の軸と前記スピーカユニットの底部が交差する点は、前記第２のハウジングの軸から離れた位置であることを特徴とする請求項１に記載のイヤホン。
【請求項３】
前記音導管の軸と前記スピーカユニットの底部との交差点は、前記第２のハウジングの軸に対して、前記音導管の軸と前記第２のハウジングの底部との交差点側にあることを特徴とする請求項２に記載のイヤホン。
【請求項４】
前記第１のハウジングと前記第２のハウジングは連結されており、
前記第１のハウジング及び前記第２のハウジングの連結部の軸は、前記第２のハウジングの軸に対して、前記第２のハウジングの外周部側にあることを特徴とする請求項３に記載のイヤホン。
【請求項５】
前記第２のハウジングの内部には、振動ユニットが配置されていることを特徴とする請求項４に記載のイヤホン。
【請求項６】
前記第２のハウジングは空気室を構成していることを特徴とする請求項４に記載のイヤホン。
【請求項７】
前記振動ユニットの中心軸から前記第２のハウジングの外周部までの距離は、前記スピーカユニットの中心軸から前記第１のハウジングの外周部までの距離より大きいことを特徴とする請求項５に記載のイヤホン。
【請求項８】
前記第１のハウジングは耳介接触部を備え、
前記耳介接触部は、前記第２のハウジングに対して、前記音導管の軸と前記スピーカユニットの底部との交差点側にあることを特徴とする請求項６に記載のイヤホン。
【請求項９】
前記第２のハウジング部の外形は、前記第１のハウジング部の外形に対して大きいことを特徴とする請求項７に記載のイヤホン。
【請求項１０】
音導管、第１のハウジング、第２のハウジングを備え、
前記第１のハウジングは、スピーカユニットを収容し、
前記第１のハウジングに連結される前記第２のハウジングは、第１のハウジングの外周部側にずれて配置されていることを特徴とするイヤホン。
【発明の詳細な説明】
【技術分野】
【０００１】
本発明は、例えば使用者の外耳道に挿入した状態で使用される挿入型のイヤホンに関する。
【背景技術】
【０００２】
例えば、挿入型のイヤホンにおいて、音響発生部の後方に骨伝導ドライバーを同軸上に設け、かつ音響発生部を収容した第１のハウジングと、骨伝導ドライバーを収容した第２のハウジングとを一体化したイヤホンが提案されている（特許文献１参照）。
【先行技術文献】
【特許文献】
【０００３】
【特許文献１】特開２００９−８８９４２号公報
【発明の概要】
【発明が解決しようとする課題】
【０００４】
しかしながら、上記のように、音響発生部を収容した第１のハウジングの後方に特許文献１に示される骨伝導ドライバーを設けた場合、耳介に接触してイヤホンを耳にうまく装着できない場合がある。【０００５】
そこで、本発明は、耳に良好に装着できる構造を有するイヤホンを提供することを目的とする。
【課題を解決するための手段】
【０００６】
前述した課題を解決し目的を達成するために、請求項１に記載の本発明のイヤホンは、音導管  、第１のハウジング、第２のハウジングを備え、
前記第１のハウジングは、スピーカユニットを収容し、
前記第２のハウジングと前記音響管との間に、前記第１のハウジングは配置されており、
前記音導管の軸は、前記第２のハウジングの軸に対して異なっており、
前記音導管の軸と前記第２のハウジングの軸の交差点は、前記音導管内に位置することを特徴としている。
【図面の簡単な説明】
【０００７】
【図１】本発明に係るイヤホンの第１の実施形態を示す断面図である。
【図２】（Ａ）は図１のイヤホンの使用状態をしめす略図、（Ｂ）は図（Ａ）におけるＸ−Ｘ線断面図である。
【図３】本発明の第２の実施形態をしめす略図である。
【発明を実施するための形態】
【０００８】
次に、本発明に係るイヤホンについて説明する。
【０００９】
本発明のイヤホンは、音導管、第１のハウジング、第２のハウジングを備え、前記第１のハウ  ジングは、スピーカユニットを収容し、前記第２のハウジングと前記音響管との間に、前記第１の  ハウジングは配置されており、前記音導管の軸は、前記第２のハウジングの軸に対して異なってお  り、前記音導管の軸と前記第２のハウジングの軸の交差点は、前記音導管内に位置することを特徴  としている。
【００１０】
第２のハウジングの位置を、音導管の軸Ａからずれた位置とすることで、外耳道にイヤチップが差し込まれた時、第２のハウジングが耳介に当たることを抑止でき、良好にイヤホンを耳に装着することができる。
【００１１】
また、音導管の軸と前記スピーカユニットの底部が交差する点は、第２のハウジングの軸から離れた位置になっている。それにより、第２のハウジングの位置が、音導管の軸Ａからずれた位置となるため、外耳道にイヤチップが差し込まれた時、第２のハウジングが耳介に当たることを抑止でき、良好にイヤホンを耳に装着することができる。
【００１２】
ここで、音導管の軸及び円筒状の第２のハウジングの軸における「軸」とは、例えば、音響管(または円筒状の第２のハウジング)の中心軸、又は音響管（または円筒状の第２のハウジング）を所定の方向にて切った場合の断面における中心軸を意味する。また、ここでいう中心軸は、例えば、音響管（または円筒状の第２のハウジング）が延びる方向において複数点在する、音響管（または円筒状の第２のハウジング）の中点（音響管（または円筒状の第２のハウジング）の外周側面から略等距離の位置にある点）の近傍を通過する線である。
【００１３】
交差する点には、例えば、音響管の軸がスピーカユニットの底部に交わる点、又はイヤホンを所定の方向にて切断した際の断面における、音響管の軸とスピーカユニットの底部とが交わる点を含む。以下、軸、交差する点について、前述の概念を含むものとする。
【００１４】
また、音導管の軸とスピーカユニットの底部が交差する点は、第２のハウジングの軸に対して、音導管の軸と第２のハウジングの底部とが重なる位置の側になっている。それにより、第２のハウジングの位置が、音導管の軸Ａからずれた位置となるため、外耳道にイヤチップが差し込まれた時、第２のハウジングが耳介に当たることを抑止でき、良好にイヤホンを耳に装着することができる。
【００１５】
また、第１のハウジングと第２のハウジングの連結部の軸は、第２のハウジングの軸に対して、第２のハウジングの外周部側にある。それにより、第２のハウジングの位置が、音導管の軸Ａからずれた位置となるため、外耳道にイヤチップが差し込まれた時、第２のハウジングが耳介に当たることを抑止でき、良好にイヤホンを耳に装着することができる。
【００１６】
また、第２のハウジングの内部には、振動ユニットが配置されている。それにより、振動する振動ユニットにより、イヤホンが耳に対して振動させるので、イヤホンの低音域の音響特性を向上させることができる。
【００１７】
また、第２のハウジングは空気室を構成するようにしてもよい。それにより、イヤホンの低音域における音響特性を向上させることができる。
【００１８】
また、振動ユニットの軸から前記第２のハウジングの外周部までの距離は、スピーカユニットの軸から前記第１のハウジングの外周部までの距離より大きくてもよい。それにより、第２のハウジングの位置が、音導管の軸からずれた位置となるため、第１のハウジングよりも大きな第２のハウジングを備えるイヤホンを良好に耳に装着することができる。
【００１９】
また、第１のハウジングは耳介接触部を備え、耳介接触部は、第２のハウジングに対して、音導管の軸とスピーカユニットの底部が交差する位置側にあってもよい。それにより、耳介と接触して、イヤホンを耳に保持させることができる。また、耳介接触部は、外耳道内の空間を密閉又は半密閉する。また、振動ユニットの振動が耳介接触部から耳へ伝播して、イヤホンの低音域における音響特性を向上させることができる。
【００２０】
また、第２のハウジング部の外形は、第１のハウジング部の外形に対して大きくてもよい。それにより、第２のハウジングの位置が、音導管の軸からずれた位置となるため、外耳道にイヤチップが差し込まれた時、第２のハウジングが耳介に当たることを抑止でき、良好にイヤホンを耳に装着することができる。
【００２１】
また、本発明のイヤホンは、音導管、第１のハウジング、第２のハウジングを備え、第１のハウジングは、スピーカユニットを収容し、第１のハウジングに連結される第２のハウジングは、第１のハウジングの外周部側にずれて配置されていてもよい。
【００２２】
第１のハウジングに連結される第２のハウジングは、第１のハウジングの外周部側にずれて配置されることで、第２のハウジングが耳介に当たることを抑止でき、良好にイヤホンを耳に装着することができる。
【実施例】
【００２３】
次に、本発明の実施形態を図１乃至図３に基づいて説明する。【００２４】
（第１の実施形態）
図１は、本発明の第１の実施形態に係るイヤホン１の構成例を示した説明図である。図示の例では、イヤホン１は、音導管２２を備えた第１のハウジング２０のスピーカユニット収容部にスピーカユニット３０が収容され、第１のハウジング２０の後方に第１のハウジング２０と連結用ハウジング５０で連結された第２のハウジング６０に振動ユニット１０が収容され、第１のハウジング２０の音導管２２にイヤチップ４０が設けられている。スピーカユニット３０は、音声信号によって音を放出するものであり、音声信号が入力されるボイスコイル３１を備えている。ボイスコイル３１は音声信号を入力すると振動ユニット（振動手段）１０の振動方向（Ｘ軸方向）に沿って振動する。【００２５】
また、スピーカユニット３０は、磁気ギャップ３２Ｇを有する磁気回路３２を備えており、この磁気ギャップ３２Ｇ内にボイスコイル３１が配置されている。磁気回路３２は、例えば、マグネット３２Ａとヨーク３２Ｂとプレート３２Ｃを備え、ヨーク３２Ｂとプレート３２Ｃとの間に磁気ギャップ３２Ｇが形成されている。ボイスコイル３１には振動板３３が取り付けられ、この振動板３３はフレーム３４に支持されている。フレーム３４には振動板３３から放射される音を音導管２２（後述）へ放出するための開口部３４Ａが設けられている。【００２６】
また、重り８を含む磁気回路３の質量と、ハウジング２０とスピーカユニット３０を合わせた質量とが略等しくなっている。【００２７】
振動ユニット１０は、磁気回路３と、コイル９と、ダンパ１６とを備えている。第２のハウジング６０は、コイル支持部（前面部）６０Ａと、筒状部６０Ｂと、底部６０Ｃと、を備えている。磁気回路３は、センターポール４と、該センターポール４にはめ込まれて固定された磁石５、ヨーク６、プレート７、重り８とを含む。磁気回路３は、ヨーク６の筒状部６Ｂの先端に一端が固定されたダンパ１６を介して第２のハウジング６０の筒状部６０Ｂに支持されている。ヨーク６は、底部６Ａと、該底部６Ａの外縁から立ち上がる筒状部６Ｂを備えている。筐体２は、その一部分として、コイル９を支持するコイル支持部(前面部)を備える。コイル９は、磁気回路３に対面する第２のハウジング６０のコイル支持部（前面部）６０Ａに取り付けられているボビンに巻回され、磁気回路３の磁気ギャップ３Ｇ内に位置する。ハウジング６０の底部６０Ｃには、コイル支持部（前面部）６０Ａに向かって突出し、磁気回路３と第２のハウジング６０の筒状部６０Ｂとの間に配置されている突出部１７が一体形成されている。前述したように、振動ユニット１０は、磁気回路１１、コイル９、ダンパ１６を備えており、コイル支持部（前面部）６０Ｂにコイル９が固定されたハウジング６０の筒状部６０Ｂに、磁気回路３がダンパ１６を介して支持されている。磁気回路３は、センターポール４、マグネット５、ヨーク６、プレート７、重り８を備えており、底部６Ａの外周部から立ち上がる筒状部６Ｂとプレート７Ｃの間に磁気ギャップが形成されている。【００２８】
振動ユニット１０では、コイル９に信号を入力することにより、磁気回路３が振動し、磁気回路３の振動がダンパ１６を介して第２のハウジングに伝播して、イヤホン全体が耳に対して振動する。また、音声信号が入力されてスピーカユニット３０が駆動している場合には、振動板３３の振動と磁気回路３の振動が共振し、振動板３３から発せられる低音域の音響特性、特に低音域の音圧が高まる。【００２９】
第１のハウジング２０は、スピーカユニット３０から放出された音を導く筒状の音導管２２と、音導管２２の一端に形成される開口２３と、音導管２２の他端に形成されたスピーカユニット収容部と、スピーカユニット収容部から突出した耳介接触部２０Ａと、を備えている。音導管２２及び開口２３はイヤチップ４０の内側に設けられている。また、第１のハウジング２０のスピーカユニット収容部内におけるスピーカユニット３０の位置は、第２のハウジング６０内の振動ユニット１０の位置より音導管２２側にある。【００３０】
図示の例では、イヤチップ４０の筒状部４２は第１のハウジング６０の取付部２２Ａに連結しており、接触部４１と筒状部４２の間にエッジ部４３を備えている。前述した音導管２２及び開口部２３はイヤチップ４０における筒状部４２の内側に設けられている。イヤチップ４０がエッジ部４３を備えることで、イヤホン１を耳に対して振動させることができる。このため、振動板３３の振動と磁気回路３の振動が共振し、振動板３３から発せられる低音域の音響特性、特に低音域の音圧を高めることができる。【００３１】
図示の例では、イヤチップ４０は音導管２２の周囲に環状に備えられ、接触部４１の外周側がエッジ部４３の外周側に連結し、エッジ部４３の内周部が筒状部４２の先端部側（一方の端部側）に連結している。このような形態は、接触部４１とエッジ部４３と筒状部４２を一体成形又は異なる部材を用いて形成して得ることができる。【００３２】
本発明の実施形態に係るイヤホン１は、イヤチップ４０自体が柔らかく且つ所望の弾性を備える。イヤチップ４０は、イヤホン１が耳に対して振動できるよう、所望のコンプライアンスを有するエッジ部４３を備える。また、前述したようにイヤホン１の接触部４１の一部が外耳道の内面に密着して、外耳道内の空間が密閉又は半密閉されることが好ましい。また、耳介接触部２０Ａも、耳介と接触して、外耳道内の空間の密閉性を向上させる。【００３３】
イヤチップ４０がこのような特性を有するためには、所定の断面形状をエッジ部４３は有している。図示の例では、エッジ部４３は、一軸方向（Ｘ軸方向）に沿った断面形状が凹状である。また、エッジ部４３の厚さｔｂは接触部４１の厚さｔａより薄く形成されている。このような形態をエッジ部４３が備えることで、イヤホン１を耳に対して良好に振動させることができる。【００３４】
このようなイヤホン１は、スピーカユニット３０のボイスコイル３１に入力される音声信号を振動ユニット１０のコイル１３に入力される信号として用い、共通の信号で振動することもできる。これによると、イヤチップ４０の接触部４１が効果的に低音再生を行うので、小型のイヤホンであっても十分な低音域が振動・音圧ともに再生できる。【００３５】
ところで、振動ユニット１０を収容する第２のハウジング６０は、ほぼ円筒状であり、スピーカユニット３０を収容する第１のハウジング２０に連結されている。図示の例では、連結部５０は、第１のハウジング２０と第２のハウジング６０とで構成されている。図２は、イヤホン１を所定の方向にて切断した断面を示している。図２に示すように、断面における、音導管２２の軸Ａは、スピーカユニット３０の軸Ｂと略一致しているが、第２のハウジング６０の軸Ｃとは異なっている。また、断面における、第２のハウジング６０の軸Ｃと音導管２２の軸Ａの交差点Ｐ１は、音導管２２内に位置する。また、断面における、音導管２２の軸Ａとスピーカユニット３０の底部が交差する点Ｐ２は、第２のハウジング６０の軸から離れた位置となっている。また、断面における、音導管２２の軸Ａとスピーカユニット３０の底部が交差する点Ｐ２は、第２のハウジング６０の軸Ｃからみて、音導管２２の軸Ａと第２のハウジング６０の底部が重なる点Ｐ３側にある。連結部５０は、図示の例でいえば、第１のハウジングから第２のハウジングにかけて湾曲する部分、すなわち第１のハウジングと第２のハウジングとの境界部分である。連結部５０は、軸Ｃに対して、第２のハウジング６０外周部側にある。それにより、第１のハウジング２０に連結される第２のハウジング６０は、第１のハウジングの外周部側にずれて配置される。耳介接触部２０Ａは、第２のハウジング６０の軸Ｃに対して、音導管２２の軸Ａとスピーカユニット３０の底部が交差する点Ｐ２側にある。振動ユニット１０の軸から前記第２のハウジングの外周部までの距離は、前記スピーカユニットの中心軸から前記第１のハウジングの外周部までの距離より大きい。第１のハウジングの外形（太さ）は、第２のハウジングの外形（太さ）に対して小さくなっている。【００３６】
第１の実施形態では、上記のように第２のハウジングの位置を設定することで、第２のハウジング６０の位置が、音導管２２の軸Ａからずれた位置となるため、外耳道１０１にイヤチップ４０が差し込まれた時、第２のハウジング６０が耳介１０２に当たることを抑止でき、良好にイヤホンを耳１０１に装着することができる。【００３７】
（第２の実施形態）
図３は、本発明の第２の実施形態に係るイヤホン１の構成例を示した説明図である。第２の実施形態では、断面において、音導管２２の軸Ａとスピーカユニット３０の軸Ｂが異なる場合を示している。この場合も、第２のハウジング６０の軸Ｃと音導管２２の軸Ａの交差点Ｐ１は、音導管２２内に位置する。【００３８】
第２の実施形態においても、このように第２のハウジングの位置を設定することで、第２のハウジング６０の位置が、音導管２２の軸Ａからずれた位置となるため、外耳道１０１にイヤチップ４０が差し込まれた時、第２のハウジング６０が耳介１０２に当たることを抑止でき、良好にイヤホンを耳１０１に装着できる。【００３９】
なお、前述した実施例は本発明の代表的な形態を示したに過ぎず、本発明は、実施例に
限定されるものではない。即ち、本発明の骨子を逸脱しない範囲で種々変形して実施する
ことができる。【００４０】
例えば、前述の実施例では、第２のハウジング６０に振動ユニットが収容されているが、これに限らず、第２のハウジング６０は振動ユニット１０以外の装置を収容したり、空気室（バックチャンバー）等として利用したりするようにしてもよい。【００４１】
また、連結部５０は、第１のハウジング２０または第２のハウジング６０と一体形成してもよい。また、連結部５０は第１のハウジング２０の一部及び第２のハウジング６０の一部で構成されても構わなく、又は第１のハウジング２０及び第２のハウジング６０とは異なる部材で構成されても構わなく、第１のハウジング２０の一部又は第２のハウジング６０の一部で構成しても構わない。
【符号の説明】
【００４２】
１０  振動ユニット
２０  第１のハウジング
２２  音導管
３０  スピーカユニット
４０  イヤチップ
６０  第２のハウジング
【図１】
2014041613.tif 000003
【図２】
2014041613.tif 000004
【図３】
2014041613.tif 000005
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
音導管、第１のハウジング、第２のハウジングを備え、前記第１のハウジングは、スピーカユニットを収容し、
前記第２のハウジングと前記音響管との間に、前記第１のハウジングは配置されており、
前記音導管の軸は、前記第２のハウジングの軸に対して異なっており、
前記音導管の軸と前記第２のハウジングの軸の交差点は、前記音導管内に位置することを特徴とするイヤホン。
【請求項２】
前記音導管の軸と前記スピーカユニットの底部が交差する点は、前記第２のハウジングの軸から離れた位置であることを特徴とする請求項１に記載のイヤホン。
【請求項３】
前記音導管の軸と前記スピーカユニットの底部との交差点は、前記第２のハウジングの軸に対して、前記音導管の軸と前記第２のハウジングの底部との交差点側にあることを特徴とする請求項２に記載のイヤホン。
【請求項４】
前記第１のハウジングと前記第２のハウジングは連結されており、
前記第１のハウジング及び前記第２のハウジングの連結部の軸は、前記第２のハウジングの軸に対して、前記第２のハウジングの外周部側にあることを特徴とする請求項１から３のいずれか一項に記載のイヤホン。
【請求項５】
前記第２のハウジングの内部には、振動ユニットが配置されていることを特徴とする請求項１から４のいずれか一項に記載のイヤホン。
【請求項６】
前記第２のハウジングは空気室を構成していることを特徴とする請求項１から５のいずれか一項に記載のイヤホン。
【請求項７】
前記振動ユニットの中心軸から前記第２のハウジングの外周部までの距離は、前記スピーカユニットの中心軸から前記第１のハウジングの外周部までの距離より大きいことを特徴とする請求項５に記載のイヤホン。
【請求項８】
前記第１のハウジングは耳介接触部を備え、
前記耳介接触部は、前記第２のハウジングに対して、前記音導管の軸と前記スピーカユニットの底部との交差点側にあることを特徴とする請求項１から７のいずれか一項に記載のイヤホン。
【請求項９】
前記第２のハウジング部の外形は、前記第１のハウジング部の外形に対して大きいことを特徴とする請求項１から７のいずれか一項に記載のイヤホン。
【請求項１０】
音導管、第１のハウジング、第２のハウジングを備え、
前記第１のハウジングは、スピーカユニットを収容し、
前記第１のハウジングに連結される前記第２のハウジングは、第１のハウジングの外周部側にずれて配置されていることを特徴とするイヤホン。
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
音導管、第１のハウジング、第２のハウジングを備え、前記第１のハウジングは、スピーカユニットを収容し、
前記第２のハウジングと前記音導管との間に、前記第１のハウジングは配置されており、
前記音導管の軸は、前記第２のハウジングの軸に対して異なっており、
前記音導管の軸と前記第２のハウジングの軸の交差点は、前記音導管内に位置し、
前記第２のハウジングの内部には、前記音導管と前記第１のハウジングと前記第２のハウジングを振動させる振動ユニットが配置されていることを特徴とするイヤホン。
【請求項２】
前記音導管の軸と前記スピーカユニットの底部が交差する点は、前記第２のハウジングの軸から離れた位置であることを特徴とする請求項１に記載のイヤホン。
【請求項３】
前記音導管の軸と前記スピーカユニットの底部との交差点は、前記第２のハウジングの軸に対して、前記音導管の軸と前記第２のハウジングの底部との交差点側にあることを特徴とする請求項２に記載のイヤホン。
【請求項４】
前記第１のハウジングと前記第２のハウジングは連結されており、
前記第１のハウジング及び前記第２のハウジングの連結部の軸は、前記第２のハウジングの軸に対して、前記第２のハウジングの外周部側にあることを特徴とする請求項１から３のいずれか一項に記載のイヤホン。
【請求項５】
前記第２のハウジングは空気室を構成していることを特徴とする請求項１から４のいずれか一項に記載のイヤホン。
【請求項６】
前記振動ユニットの中心軸から前記第２のハウジングの外周部までの距離は、前記スピーカユニットの中心軸から前記第１のハウジングの外周部までの距離より大きいことを特徴とする請求項１に記載のイヤホン。
【請求項７】
前記第１のハウジングは耳介接触部を備え、
前記耳介接触部は、前記第２のハウジングに対して、前記音導管の軸と前記スピーカユニットの底部との交差点側にあることを特徴とする請求項１から６のいずれか一項に記載のイヤホン。
【請求項８】
前記第２のハウジングの外形は、前記第１のハウジングの外形に対して大きいことを特徴とする請求項１から６のいずれか一項に記載のイヤホン。
【手続補正２】
【補正対象書類名】明細書
【補正対象項目名】０００６
【補正方法】変更
【補正の内容】
【０００６】
前述した課題を解決するために、本発明のイヤホンは、音導管、第１のハウジング、第２のハウジングを備え、前記第１のハウジングは、スピーカユニットを収容し、前記第２のハウジングと前記音導管との間に、前記第１のハウジングは配置されており、前記音導管の軸は、前記第２のハウジングの軸に対して異なっており、前記音導管の軸と前記第２のハウジングの軸の交差点は、前記音導管内に位置し、前記第２のハウジングの内部には、前記音導管と前記第１のハウジングと前記第２のハウジングを振動させる振動ユニットが配置されていることを特徴とする。
【国際調査報告】
2014041613.tif 000006
2014041613.tif 000007
2014041613.tif 000008
2014041613.tif 000009